(57)【要約】      （修正有）【課題】漁業、レジャーの魚釣りの分野において魚信の見逃しなしが無いこと、釣り糸のカラミが無いことを目的とした釣センサーを提供する。【解決手段】魚信による釣糸や釣竿に伝わる振動、衝撃を機械的な構造物を介し、圧電素子（釣りセンサー６）に振動、衝撃を伝達する。この振動、衝撃を受けた圧電素子からは、微小ではあるが電圧が発生する。そこで、この微小電圧を電気的に増幅する。この増幅された電圧が、所定レベル以上に達すると信号を出す。この信号を、電気的に保持（ホールド）し、この出力でＬＥＤを点灯したり、ブザーを鳴らしたりして、釣り人に魚信のあった事を知らせる。【選択図】図４
2008113648.tif 000002
【特許請求の範囲】
【請求項１】
魚信による釣糸や釣竿に伝わる振動、衝撃を圧電素子に伝達し、圧電素子から発生する電圧を、魚信と見なし検出することを特徴とした、釣センサー。
【発明の詳細な説明】
【発明の詳細な説明】
【産業上の利用分野】
【０００１】この発明は、魚釣りレジャーの分野において、防波堤、湖などで良く行なわれる、投げ釣り、置き竿釣り、に関するもので、魚信を電気的に捕らえ、釣り人に魚信のあったことを知らせ続ける、釣りセンサーを提供するものである。
【背景技術】
【０００２】従来の投げ釣り、置き竿釣りの、魚信を読み取る方法は図１に示す様に、釣竿先端に、鈴や発光する化学樹脂等を取り付け、鈴の音や化学樹脂等の光の動きで魚信を読み取っている。
【発明が解決しようとする課題】
【０００３】１）魚信の見逃し
現在の様に忙しい時代でも、何とかして時間を作り釣り場に行くと、他人より多くの魚を釣りたいのは釣り人として当然の願望である。
その為、他人より多くの釣竿を出して、釣れる確率を上げている。
従って、数多くの竿先に取り付けられた、鈴や発光する化学樹脂等の光の動きを，ひと時も見逃すことがなく、今か今かと大変な思いで魚信を待つ必要があった。
しかし、長時間，監視し続ける事は出来なく、チョット目や耳を離したその時、エサ取りなどの魚にエサを取られてしまう事がしばしばある。
やがて、釣り人は魚信がないので竿を上げて見ると、すでにエサが無い事が初めて判り、このエサのない状態で、釣竿先端を監視し続けた時間や、魚信を見逃した事などが悔やまれているのが現実である。
その結果、釣果にも影響を及ぼし不便さを感じている。
２）釣り糸のカラミ
釣り人は、より大きい魚を釣りたいと思うのは当然の願望である。
大きな魚は、岸辺から遠い所にいることが多く、釣り人は少しでも遠くに仕掛けを投げようとする。
この時、釣竿先端に取り付けられた鈴や発光する化学樹脂等に、釣糸が絡むことがあり、
▲１▼鈴や発光する化学樹脂が飛んでしまい紛失することがある。
▲２▼釣糸が細い場合は、釣り糸が切れてしまうことがある。
従って、釣り人は魚信の検出感度は従来（鈴の音や化学樹脂等の光）同等で、更に
▲１▼魚信の記憶
▲２▼竿先への釣糸のカラミ付きを、防止できる釣りセンサーを要求していたが、解決できなかった。
本発明はこうした釣り人の強い要望にこたえる為に、発明されたものである。
【課題を解決するための手段】
【０００４】魚信による釣糸や釣竿に伝わる振動、衝撃を機械的な構造物を介し、圧電素子に振動、衝撃を伝達する。
この振動、衝撃を受けた圧電素子からは、微小ではあるが電圧が発生する。
そこで、この微小電圧を電気的に増幅する。
この増幅された電圧が、所定レベル以上に達すると信号を出す。
この信号を、電気的に保持（ホールド）し、ＬＥＤを点灯したり、ブザーを鳴らしたりして、釣り人に魚信のあった事を知らせ続けようとするものである。
【作用】
【０００５】１）魚信の見逃し
圧電素子の特性として、波や風などの揺れの様に、緩やかな振動、衝撃には比較的感度が鈍く、発生する電圧も小さいが、魚信の様に俊敏な振動、衝撃には敏感に作用し、大きな電圧が発生する特性がある。
従って、圧電素子自体で振動、衝撃の種分けが可能であるが、これに電子回路の微分器を追加すると、完全に振動、衝撃の種分けが可能である。
２）釣糸のカラミ
釣糸のカラミは釣竿の先端に鈴や発光する化学樹脂を取り付けるためであり、本発明では、釣竿の先端には何も取り付けないので、釣糸のカラミはなくなる。
【実施例】
【０００６】１）釣りセンサーの構造
（図２より）
取付けベースに接着された圧電素子（ベース基材）
圧電素子（可動体）の上に取り付けられた、支柱と、この支柱を支える支柱取付ベースの構造に於いて、
魚信による釣糸や釣竿に振動、衝撃が加わると、その振動、衝撃（Ｐ（荷重）は支柱に伝達され、圧電素子の可動体に伝えられる為、圧電素子から電圧が発生する。
２）釣りセンサーの電子回路
（図３ａより）
（ａ）圧電素子の微小な電圧の変化分だけを（ｂ）コンデンサーを介し信号とする。
その信号を（ｃ）ＡＭＰで増幅（約５００倍）後、（ｄ）比較器で電圧比較し、所定レベル以上の電圧であれば、（ｈ）ホールド回路に電圧を出力する。
この比較器からの出力を受け（ｈ）ホールド回路で信号をホールドし、その出力でＬＥＤの表示やブザー音で、釣り人に魚信のあった事を知らせ続ける。
（ｃ）ＡＭＰの入、出力に接続された（ｂ）コンデンサーは，（ｃ）ＡＭＰの増幅率が大きい為、ＡＭＰのオフセットによるエラーを防止する目的で交流分のみ信号とするものである。
また、（ｇ）リセット回路は（ｈ）ホールド回路のクリヤーが目的で電源スイッチをＯＮした時、機能するものである。
更に、図では示していないが、このホールド回路の出力でワイヤレス回路の送信を起動することでワイヤレス、釣りセンサーも可能になる。
（図３ｂより）
Ａ：圧電素子の出力電圧を（ｂ）コンデンサーで微分し、（ｃ）ＡＭＰで増幅すると
Ｂ：ＡＭＰの出力電圧ができる。
この電圧を（ｄ）比較器で電圧比較し所定レベル以上で波形Ｃ：比較器の出力電圧を発生させる。
この電圧を（ｈ）ホールド回路に入力し、波形Ｄ：ホールド回路の出力を発生させる。
更に、この電圧を（ｇ）リセット回路で波形Ｅ：リセット回路の出力を発生させる。
３）釣りセンサーの実施例
・  図４（発明した釣りセンサーを竿立に取り付けた例）
・  図５ａ（発明した釣りセンサーを釣竿の尻部に取り付けた例）
・  図５ｂ（図５ａの竿尻とセンサーの拡大図を示す。）
・  図６（発明した釣りセンサーを防波堤などの地面に置いた例）
・  図７（発明した釣りセンサーを、１本のポールに取り付けられた多数の竿台に、取り付けた例）
・  図８ａ（発明した釣りセンサーを釣竿に取り付け、釣糸の一部を釣りセンサーに取り付け、釣糸から伝達される振動、衝撃を検出する例）
・  図８ｂ（図８ａのセンサー部の拡大図を示す。）
・  図９（発明した釣りセンサーをリールの一部に取り付けた例）
【発明の効果】
【０００７】本発明は、以上説明したように構成されている為、従来の様に、鈴の音や化学樹脂等の光など鋭い神経を使う必要が無く、楽しく釣りを出来る効果がある。。
当初の目的である
１）魚信の見逃しなし
２）釣り糸のカラミなしは完全に達成されている。
その他の効果
１）迷惑
釣り人同士が接近して釣りを楽しんでいる場合、釣竿先端に取り付けられた鈴の音が、仕掛けを投げる時、またリールを巻き上げる時に連続して音が出る。この音が隣の釣り人のものだと判ると、迷惑を感じることがある。
２）誤動作防止
魚信のように鋭い振動、衝撃にのみ反応するため、波・風の様に緩やかな変化には反応しないため、波・風による誤動作が無い。
【図面の簡単な説明】
【０００８】
【図１】従来の釣り方を示したものである。
【図２】本発明の圧電素子を用いた釣りセンサー構造
【図３ａ】本発明の釣りセンサーに於いて、圧電素子から発生された微小な電圧を、増幅、振幅比較、ホールド回路、ＬＥＤ表示、ブザー、リセット回路を含めた、制御回路を示したものである。
【図３ｂ】図３の説明を実際の波形で説明したものである。
【図４】本発明の釣りセンサーを竿立に取り付けた例を示したものである。
【図５ａ】本発明の釣りセンサーを竿立に取り付け釣竿に伝わる振動、衝撃を竿尻で検出する方法を示したものである。
【図５ｂ】図５ａの釣りセンサーの拡大図を示す。
【図６】本発明の釣りセンサーを用いて、防波堤などで防波堤直下釣りをしている例を示したものである。
【図７】１本のポールに多数の釣りセンサーを取り付け１台の制御装置で多数の釣りセンサーを監視したものを示したものである。
【図８ａ】本発明の釣りセンサーを釣竿に取り付け、釣糸の振動、衝撃を検出する例を示す。
【図８ｂ】図８ａの釣りセンサーの拡大図を示す。
【図９】本発明の釣りセンサーをリールの一部に取り付け、釣糸の振動、衝撃を検出する例を示す。
【符号の説明】
【０００９】（１）竿立    （２）釣竿    （３）鈴    （４）発光化学樹脂    （５）釣糸
（６）発明した釣りセンサー    （７）竿台    （８）竿ガイド    （９）ポール
（１０）制御装置    （１１）リール
（Ａ）圧電素子（ベース基材）    （Ｂ）圧電素子（可動体）    （Ｃ）支柱    （Ｄ）支柱取付けベース    （Ｅ）取り付けネジ    （Ｆ）取付けベース    （Ｇ）ナット
（ａ）圧電素子    （ｂ）コンデンサー    （ｃ）ＡＭＰ    （ｄ）比較器    （ｅ）ＬＥＤ    （ｆ）ブザー    （ｇ）リセット回路    （ｈ）ホールド回路
【図１】
2008113648.tif 000003
【図２】
2008113648.tif 000004
【図３ａ】
2008113648.tif 000005
【図３ｂ】
2008113648.tif 000006
【図４】
2008113648.tif 000007
【図５ａ】
2008113648.tif 000008
【図５ｂ】
2008113648.tif 000009
【図６】
2008113648.tif 000010
【図７】
2008113648.tif 000011
【図８ａ】
2008113648.tif 000012
【図８ｂ】
2008113648.tif 000013
【図９】
2008113648.tif 000014